(57)【要約】【課題】紙幣紙処理装置による紙幣処理に伴って発生する塵埃等を効果的に集塵する。【解決手段】開口集積部を有する紙幣処理装置が載置される載置台上で開口集積部の開口側前方に集塵口を設け、開口集積部から飛散する塵埃を吸引ファンによって集塵口内に吸引し、吸引した吸引空気から塵埃をフィルタによって分離し、分離した後の空気を吸引ファンを取り囲んで形成した排気通路に設けた気口から排気する。また開口集積部内部に集塵口を設けて、集積部内部で発生する塵埃を吸引ファンによって吸引する構造とする。【選択図】  図１
2012133412.tif 000002
【特許請求の範囲】
【請求項１】
開口集積部を有する紙幣処理装置が載置される紙幣処理装置用載置台であって、
前記開口集積部の開口側前方に設けられ、前記開口集積部から飛散する塵埃を集塵する集塵口を備えたことを特徴とする紙幣処理装置用載置台。
【請求項２】
塵埃を前記集塵口内に吸引する吸引ファンと、
前記集塵口と前記吸引ファンとの間に設けられ、前記集塵口から吸引した吸引空気から塵埃を分離するフィルタと
をさらに備えたことを特徴とする請求項１に記載の紙幣処理装置用載置台。
【請求項３】
前記吸引ファンを取り囲んで排気通路を形成するとともに前記排気通路の一部に排気口を有し、前記吸引ファンから流入する空気を前記排気口から排気するダクトをさらに備えたことを特徴とする請求項２に記載の紙幣処理装置用載置台。
【請求項４】
前記集塵口に対して着脱可能であるとともに複数の貫通孔を有する板状部材から成る蓋体をさらに備え、
前記蓋体が前記集塵口に取り付けられているときは前記蓋体が前記フィルタを前記集塵口内に固定し、前記蓋体が前記集塵口から取り外されているときは前記フィルタが前記集塵口から着脱可能な状態となることを特徴とする請求項２から請求項３のいずれか１項に記載の紙幣処理装置用載置台。
【請求項５】
紙幣を計数する紙幣処理装置であって、
内部に集積された紙幣を取り出し可能な開口部と、内部の塵埃を集塵する集塵口とを有する集積部を備えたことを特徴とする紙幣処理装置。
【請求項６】
塵埃を前記集塵口内に吸引する吸引ファンと、
前記集塵口と前記吸引ファンとの間で前記紙幣処理装置から着脱可能に設けられ、前記集塵口から吸引した吸引空気から塵埃を分離するフィルタと
を備えたことを特徴とする請求項５に記載の紙幣処理装置。
【請求項７】
前記吸引ファンを取り囲んで排気通路を形成するとともに前記排気通路の一部に排気口を有し、前記吸引ファンから流入する空気を前記排気口から排気するダクトをさらに備えたことを特徴とする請求項６に記載の紙幣処理装置。
【請求項８】
複数の前記集積部を備え、前記フィルタが前記集積部毎に独立して設けられていることを特徴とする請求項６又は請求項７に記載の紙幣処理装置。
【請求項９】
複数の前記集積部を備え、前記吸引ファンが前記集積部毎に独立して設けられていることを特徴とする請求項６から請求項８のいずれか１項に記載の紙幣処理装置。
【請求項１０】
前記集塵口が前記集積部底面に設けられていることを特徴とする請求項５から請求項９のいずれか１項に記載の紙幣処理装置。
【請求項１１】
前記紙幣処理装置が前記集積部の開口側前方にテーブルをさらに備え、
前記テーブルが前記吸引ファンに連通する第２の集塵口を備えたことを特徴とする請求項６から請求項１０のいずれか１項に紙幣処理装置。
【請求項１２】
前記第２の集塵口と前記吸引ファンとの間で前記テーブルから着脱可能に設けられ、前記第２の集塵口から吸引した吸引空気から塵埃を分離する第２のフィルタをさらに備えたことを特徴とする請求項１１に記載の紙幣処理装置。
【請求項１３】
紙幣を計数する紙幣処理装置であって、
内部に集積された紙幣を取り出し可能な開口部を有する集積部と、
前記集積部の開口側前方に延設されたテーブルと、
を備え、
前記テーブルが、前記開口集積部から飛散する塵埃を集塵する集塵口を備えたことを特徴とする紙幣処理装置。
【請求項１４】
塵埃を前記集塵口内に吸引する吸引ファンと、
前記集塵口と前記吸引ファンとの間で前記紙幣処理装置から着脱可能に設けられ、前記集塵口から吸引した吸引空気から塵埃を分離するフィルタと
をさらに備えたことを特徴とする請求項１３に記載の紙幣処理装置。
【請求項１５】
前記吸引ファンを取り囲んで排気通路を形成するとともに前記排気通路の一部に排気口を有し、前記吸引ファンから流入する空気を前記排気口から排気するダクトと
をさらに備えたことを特徴とする請求項１４に記載の紙幣処理装置。
【発明の詳細な説明】
【技術分野】
【０００１】
この発明は、紙幣処理に伴って発生する紙粉や塵埃を吸引し空気中への飛散を防止することができる紙幣処理装置及び紙幣処理装置用載置台に関し、特に紙幣集積部の開口部近傍に紙粉や塵埃を吸引する集塵口を備えた紙幣処理装置及び紙幣処理装置用載置台に関する。
【背景技術】
【０００２】
従来、紙幣処理装置を利用して大量の紙幣を処理する際に、処理に伴って発生する紙粉や塵埃等（以下「塵埃等」と記載する）の飛散を防止する技術が知られている。塵埃等は、高速に搬送されて集積される紙幣から剥がれて発生するもので、紙幣の搬送や集積によって生ずる空気の流れによって飛散する。
【０００３】
集積部が開口された紙幣処理装置では、紙幣から剥がれた大量の塵埃等が開口部から利用者に向けて飛散するため特に問題となる。これを防止する技術として、例えば特許文献１では、機体側面に設けられた吸引装置によって塵埃等を吸引する紙幣処理装置が開示されている。
【０００４】
また特許文献２には、塵埃等を吸引する吸引装置を紙幣搬送路下に備える紙幣処理装置が開示されている。この紙幣処理装置は、さらに開口集積部の上方に紙粉や塵埃の飛散を防止する遮蔽板を備えている。
【先行技術文献】
【特許文献】
【０００５】
【特許文献１】実用新案登録第２６００１００号公報
【特許文献２】実開平４−７７号公報
【発明の概要】
【発明が解決しようとする課題】
【０００６】
しかし、上記従来技術によれば、集積部の側方や搬送路下に設けられた吸引装置では、集積部から飛散する塵埃等を十分に吸引することができないという問題がある。吸引効果を上げるために、大型の吸引装置を利用すると、装置の大型化や重量増加を招くという問題がある。特にテーブルやカウンター等の載置台上で利用される小型の紙幣処理装置では、大型の吸引装置を利用できない。また集積部と利用者との間に遮蔽板を設けても、空気中に浮遊する塵埃等を十分に遮蔽することができない。そのため、飛散した塵埃等が集積部底面や載置台上に堆積するという問題がある。
【０００７】
本発明は、上記従来技術による課題を解決するためになされたものであって、紙幣処理に伴って発生する塵埃等を効果的に集塵することができる紙幣処理装置及び紙幣処理装置用載置台を提供することを目的とする。
【課題を解決するための手段】
【０００８】
上記課題を解決し、目的を達成するため、本発明は、開口集積部を有する紙幣処理装置が載置される紙幣処理装置用載置台であって、開口集積部の開口側前方に設けられ、開口集積部から飛散する塵埃を集塵する集塵口を備えたことを特徴とする。
【０００９】
また、本発明は、上記発明において、塵埃を集塵口内に吸引する吸引ファンと、集塵口と吸引ファンとの間に設けられ、集塵口から吸引した吸引空気から塵埃を分離するフィルタとをさらに備えたことを特徴とする。
【００１０】
また、本発明は、上記発明において、吸引ファンを取り囲んで排気通路を形成するとともに排気通路の一部に排気口を有し、吸引ファンから流入する空気を排気口から排気するダクトをさらに備えたことを特徴とする。
【００１１】
また、本発明は、上記発明において、集塵口に対して着脱可能であるとともに複数の貫通孔を有する板状部材から成る蓋体をさらに備え、蓋体が集塵口に取り付けられているときは蓋体がフィルタを集塵口内に固定し、蓋体が集塵口から取り外されているときはフィルタが集塵口から着脱可能な状態となることを特徴とする。
【００１２】
また、本発明は、紙幣を識別計数する紙幣処理装置であって、内部に集積された紙幣を取り出し可能な開口部と、内部の塵埃を集塵する集塵口とを有する集積部を備えたことを特徴とする。
【００１３】
また、本発明は、上記発明において、集積部内の塵埃を集塵口内に吸引する吸引ファンと、集塵口と吸引ファンとの間で紙幣処理装置から着脱可能に設けられ、集塵口から吸引した吸引空気から塵埃を分離するフィルタとを備えたことを特徴とする。
【００１４】
また、本発明は、上記発明において、吸引ファンを取り囲んで排気通路を形成するとともに排気通路の一部に排気口を有し、吸引ファンから流入する空気を排気口から排気するダクトをさらに備えたことを特徴とする。
【００１５】
また、本発明は、上記発明において、複数の集積部を備え、フィルタが集積部毎に独立して設けられていることを特徴とする。
【００１６】
また、本発明は、上記発明において、複数の集積部を備え、吸引ファンが集積部毎に独立して設けられていることを特徴とする。
【００１７】
また、本発明は、上記発明において、集塵口が集積部底面に設けられていることを特徴とする。
【００１８】
また、本発明は、上記発明において、紙幣処理装置が集積部の開口側前方にテーブルをさらに備え、テーブルが吸引ファンに連通する第２の集塵口を備えたことを特徴とする。
【００１９】
また、本発明は、上記発明において、第２の集塵口と吸引ファンとの間でテーブルから着脱可能に設けられ、第２の集塵口から吸引した吸引空気から塵埃を分離する第２のフィルタをさらに備えたことを特徴とする。
【００２０】
また、本発明は、紙幣を識別計数する紙幣処理装置であって、内部に集積された紙幣を取り出し可能な開口部を有する集積部と、集積部の開口側前方に延設されたテーブルとを備え、このテーブルが、開口集積部から飛散する塵埃を集塵する集塵口を備えたことを特徴とする。
【００２１】
また、本発明は、上記発明において、集積部から飛散する塵埃を集塵口内に吸引する吸引ファンと、集塵口と吸引ファンとの間で紙幣処理装置から着脱可能に設けられ、集塵口から吸引した吸引空気から塵埃を分離するフィルタとをさらに備えたことを特徴とする。
【００２２】
また、本発明は、上記発明において、吸引ファンを取り囲んで排気通路を形成するとともにこの排気通路の一部に排気口を有し、吸引ファンから流入する空気をこの排気口から排気するダクトとをさらに備えたことを特徴とする。
【発明の効果】
【００２３】
本発明によれば、開口集積部を有する紙幣処理装置を載置する載置台上で、集積部の開口部前方に集塵口を設けたので、この紙幣処理装置用載置台に紙幣処理装置を載置して利用すれば塵埃の堆積しやすい開口部前方で効率よく塵埃を集塵することができる。
【００２４】
また、本発明によれば、塵埃を集塵口内に吸引する吸引ファンと、集塵口と吸引ファンとの間で集塵口から吸引した吸引空気から塵埃を分離するフィルタとを設けることとしたので、吸引ファンから流出する空気を清浄化することができる。
【００２５】
また、本発明によれば、吸引ファンを取り囲んで排気通路を形成するとともに排気通路の一部に排気口を有し吸引ファンから流入する空気を排気口から排気するダクトを設けることとしたので、塵埃を分離した後の空気を排気口から所望の方向へ排気することができる。
【００２６】
また、本発明によれば、利用時にはフィルタを固定して確実に塵埃を分離するようにし、非利用時にはフィルタを容易に取り外して清掃できる構造としたので、フィルタの目詰まりによる集塵機能の低下を容易に回避することができる。
【００２７】
また、本発明によれば、紙幣処理装置の集積部内部に集塵口を設けたので、塵埃の発生源である集積部内で効率よく塵埃を集塵することができる。
【００２８】
また、本発明によれば、フィルタを集積部毎に独立して設けることとしたので、使用頻度の高い集積部のフィルタのみが汚れた場合に、そのフィルタのみを清掃したり交換したりすることができる。
【００２９】
また、本発明によれば、吸引ファンを集積部毎に独立して設けることとしたので、集積部内に発生した塵埃を各集積部の吸引ファンによって確実に集塵することができる。
【００３０】
また、本発明によれば、集塵口を集積部底面に設けることとしたので、塵埃が堆積しやすい集積部底面において塵埃を効率よく集塵することができる。
【００３１】
また、本発明によれば、集積部内と、集積部前方のテーブルとの各々に集塵口を設けたので、塵埃の発生源である集積部と、その集積部の開口部前方の塵埃が堆積しやすい位置で塵埃を効率よく集塵することができる。
【図面の簡単な説明】
【００３２】
【図１】図１は、実施例１に係る紙幣処理装置の外観を示す斜視図である。
【図２】図２は、実施例１に係る紙幣処理装置の構成概略を示す図である。
【図３】図３は、実施例１に係る紙幣処理装置用載置台の外観及び構成概略を示す図である。
【図４】図４は、他の実施例に係る紙幣処理装置の構成概略を示す正面図である。
【図５】図５は、他の実施例に係る紙幣処理装置の構成概略を示す側面図である。
【発明を実施するための形態】
【００３３】
以下に添付図面を参照して、この発明に係る紙幣処理装置及び紙幣処理装置用載置台の好適な実施例を詳細に説明する。
【００３４】
本発明は、集積部の少なくとも一部が開口され、この開口部から内部に集積された紙幣を取り出すことができる開口集積部を備える紙幣処理装置において、集積部内部に設けた集塵口から、開口集積部内の紙粉や塵埃等（以下、単に「塵埃」と記載する）を吸引できることを特徴とする。また紙幣処理装置を載置するための載置台において、集積部外部の開口部近傍に上記と同様の集塵機構を設け、紙幣処理装置の集積部開口から飛散する塵埃を吸引できることを特徴とする。本発明は、紙幣処理装置の大きさや集積部の数、構造及び機能等によらず、所謂オープンスタッカタイプと呼ばれる紙幣処理装置全般に適用可能であるが、以下では複数の開口集積部（以下、単に「スタッカ」と記載する）を備えた紙幣処理装置を例に詳細を説明する。
【実施例１】
【００３５】
図１は、紙幣処理装置２を含む紙幣分類結束処理装置１の外観構成を示す斜視図である。また図２は、紙幣処理装置２内部の概略構成を示す説明図である。紙幣分類結束処理装置１は、取引紙幣を連続入金し、これら入金した紙幣を紙幣種別毎に分類集積するとともに紙幣種別毎に計数する紙幣処理装置２と、紙幣処理装置２によって分類した特定金種の紙幣を所定枚数単位で結束する紙幣結束装置３と、例えば計数結果等の各種情報を表示する表示装置４とを有している。 
【００３６】
まず、紙幣処理装置２の紙幣処理に係る構造及び機能について概略を説明する。紙幣処理装置２は、取引紙幣を装置内に投入するホッパ部１１と、このホッパ部１１に投入した紙幣を１枚単位で繰り出す繰出部１２と、この繰出部１２によって繰り出した紙幣を搬送する搬送ベルト等の紙幣搬送部１３と、この紙幣搬送部１３で搬送した紙幣の種別を識別する紙幣識別部１４と、紙幣識別部１４の表裏情報に基づき紙幣搬送部１３で搬送した紙幣の向きを揃えるために紙幣を反転する紙幣反転部１５とを有している。 
【００３７】
また、紙幣処理装置２は、紙幣種別に応じて紙幣搬送部１３で搬送した紙幣を分類集積する４個のスタッカ１６と、スタッカ１６及び紙幣結束装置３の処理対象である紙幣種別に該当しない紙幣をリジェクトする２個の第１リジェクト部１７とを有している。スタッカ１６は一部に開口を有する開口集積部とされ、この開口は内部に集積された紙幣を取り出し可能に形成されている。なお、スタッカ１６及び第１リジェクト部１７には、搬送紙幣を１枚単位で紙幣集積空間内の所定位置に集積する羽根車１６Ｅ(１７Ｃ)を配置している。 
【００３８】
４個のスタッカ１６は、設定中の紙幣種別毎に搬送紙幣を分類集積する第１スタッカ１６Ａ、第２スタッカ１６Ｂ、第３スタッカ１６Ｃ及び第４スタッカ１６Ｄで構成されている。なお、紙幣種別とは、例えば、ユーロ紙幣の場合、５ユーロ、１０ユーロ、２０ユーロ、５０ユーロ、１００ユーロ、２００ユーロ及び５００ユーロの７種類の金種を示す場合の他、金種毎の真偽、正損や表裏等を示す場合を含む。
【００３９】
また、紙幣処理装置２は、ホッパ部１１と接続されてスタッカ１６の上方位置に配置された第１搬送路１８Ａ、第１搬送路１８Ａと接続されてスタッカ１６の配置方向に折り返すように配置された第２搬送路１８Ｂ、及び第２搬送路１８Ｂと接続されるとともにスタッカ１６及び紙幣結束装置３と接続された第３搬送路１８Ｃを含む紙幣搬送路１８を有している。
【００４０】
なお、紙幣識別部１４は、第１搬送路１８Ａ上に配置され、紙幣反転部１５は、第２搬送路１８Ｂ上に配置されているものとする。また、第２搬送路１８Ｂは、紙幣処理装置２の第１搬送路１８Ａ及び第３搬送路１８Ｃに接続する着脱可能なユニットで構成される。紙幣反転部１５を必要としない場合は、第２搬送路１８Ｂのみを有するユニットを利用し、第１搬送路１８Ａと第３搬送路１３Ｃとの間を第２搬送路１８Ｂで接続する（図４参照）。
【００４１】
紙幣搬送路１８には、搬送路上の分岐箇所、合流箇所や装置間の連結箇所等に、搬送紙幣の進入及び通過を検知する検知センサ１９が配置される。第３搬送路１８Ｃの最終端は、第２リジェクト部２０に接続されている。また紙幣搬送路１８上の分岐箇所には、搬送する搬送紙幣を、スタッカ１６、第１リジェクト部１７又は第２リジェクト部２０等に振り分ける分岐部１３Ａが配置されている。分岐部１３Ａは、検知センサ１９を通じて搬送紙幣の先端の進入を検知して図示しないソレノイドによって駆動され、搬送紙幣を振り分ける機能を有する。
【００４２】
次に、紙幣反転部１５及び紙幣結束装置３の概要について説明する。紙幣反転部１５は、紙幣識別部１４の紙幣表裏情報に基づき、紙幣反転部１５の手前で反転ルート又は無反転ルートに紙幣を振り分けて、紙幣の向きを表面及び裏面の特定面に揃えた後、第３搬送路１８Ｃに搬送する機能を有する。紙幣結束装置３は、紙幣処理装置２内部の紙幣搬送路１８Ｃから本装置内へ特定金種紙幣を受けて内部に備える集積部に集積し、例えば１００枚等の所定枚数に到達した場合に、その結束対象紙幣を結束する機能を有している。紙幣結束装置３は、ホッパ部１１近傍に配置され、結束した紙幣、すなわち結束紙幣をオペレータ側に放出する束放出口２３と、取引終了時に結束されなかった端数紙幣をオペレータに放出する端数返却口２４とを有している。紙幣反転部１５及び紙幣結束装置３の構造及び機能の詳細な説明は省略するが、例えば日本国特許第４１１９６６４号公報及び国際公開ＷＯ２０１０／０９７９５４号公報に記載された技術を利用することができる。
【００４３】
次に、本発明に係る塵埃の集塵機能について説明する。紙幣処理装置２は、紙幣処理装置用の載置台であるテーブル１０の上に載置して利用される。図１に示すように、スタッカ１６の開口部前方のテーブル１０上には集塵口３０が設けられている。そして、図２に示すように、集塵口３０から下方に向けて、フィルター３１と、３つの吸引ファン３２Ａ〜３２Ｃと、ダクト３３とが設けられている。
【００４４】
図３（Ａ）に、テーブル１０を裏面側から見た図を示す。ダクト３３はテーブル１０の裏面側で吸引ファン３２を覆うように設けられ、略Ｌ字型の排気通路を構成する。吸引ファン３２を取り囲んで複数のスタッカ１６Ａ〜１６Ｄが並ぶ方向に延びて折れ曲がった後、その端部がテーブル１０の背面と接続されている。ダクト３３の端部とテーブル１０背面との接続部は、例えば貫通孔やスリットによって開口された排気口を形成している。ダクト３３によって構成された排気通路は、吸引ファン３２との接続部、及びテーブル１０背面との接続部である排気口のみが開口された構造になっている。そのため吸引ファン３２によって吸引された空気は、Ｌ字型のダクト３３内壁に沿って流れ、テーブル１０背面の排気口から排気される。
【００４５】
図３（Ｂ）に、各部の構造を示す。集塵口３０は、スタッカ１６の開口部から飛散する塵埃を吸引するための吸引口として機能する。集塵口３０は、例えば円形や四角形の多数の貫通孔が設けられたパンチングプレート等の板状部材から成る蓋体４０を備えている。貫通孔は例えば直径数ｍｍ程度と十分に小さく、物品が集塵口３０内部に落下しないようになっている。集塵口３０で利用する板状の蓋体４０は、フィルタ３１を上方から押さえて固定するフィルタカバーとしても機能している。なお、フィルタ３１を上方から押さえた状態で、集塵口３０の蓋体４０とテーブル１０表面とが略同一平面を成すようになっている。集塵口３０に利用する蓋体４０として、縦長のスリットを設けた板状部材や、メッシュ状の樹脂製又は金属製の板状部材を利用することもできる。貫通孔を通して集塵口３０内に塵埃を吸引することができ、かつ集塵口３０内に物体が落下することを回避することができれば、蓋体４０の構造及び材質は特に限定されない。
【００４６】
フィルタ３１は、集塵口３０から吸引した塵埃を含む吸引空気から、塵埃を分離する機能を有する。例えば、薄板状に成型されたウレタンやスポンジをフィルタ３１として利用し、このフィルタ３１を、吸引ファン３２を塞ぐように設置する。フィルタ３１は、集塵口３０から吸引する空気の流れを妨げることのない構造となっている。そのため、吸引ファン３２によって集塵口３０から吸引された塵埃を含む吸引空気から、塵埃だけを分離して取り除くことができる。吸引ファン３２及びダクト３３へは、塵埃が取り除かれた後の吸引空気のみが流入するため、吸引ファン３２やダクト３３が塵埃で汚れることを抑制できる。また表面に塵埃が堆積することによって、吸引ファン３２の吸引機能が低下したり、ダクト３３内の排気通路が塞がれて排気機能が低下したりすることを抑制できる。
【００４７】
フィルタ３１と吸引ファン３２との間に隙間が生じ、そこからフィルタ３１を介さずに塵埃が吸引されないように、吸引ファン３２の動作時には、集塵口３０内の蓋体４０によってフィルタ３１が固定される。しかし、集塵口３０から蓋体４０を取り外すと、集塵口３０内にあるフィルタ３１を容易に取り外すことができるようになっている。そのため、フィルタ３１に付着した塵埃を取り除く清掃処理を行って、フィルタ３１を再利用することができる。フィルタ３１としては、化学繊維の他、紙や布等の様々な材質を利用することができる。集塵口３０から吸引された空気がフィルタ３１を通って吸引ファン３２側へ流れ、かつ塵埃を取り除く濾過機能を実現できれば、フィルタ３１の構造や材質は特に限定されない。フィルタ３１としてスポンジやウレタン等を利用する場合は、上記に加えて、吸引ファン３２の回転音や、吸引空気の流れによって生ずる気流音を抑制する騒音低減効果を得ることもできる。
【００４８】
吸引ファン３２は、樹脂又は金属製の羽根をモータで回転させることにより空気の流れを生じさせ、フィルタ３２を介して集塵口３０から塵埃を含む空気を吸引する機能を有する。塵埃のほとんどはフィルタ３２によって分離されるため、塵埃が取り除かれた後の空気だけが吸引ファン３２後方のダクト３３内へ流入する。
【００４９】
吸引ファン３２は、モータのオンオフを制御するスイッチを手動操作でオン状態にすることによって動作する。紙幣処理装置２の動作前の所定タイミングでモータのスイッチをオンにして吸引ファン３２の回転を開始させ、紙幣処理装置２の利用が完了すれば、スイッチをオフにして吸引ファン３２の回転を停止させる。
【００５０】
吸引ファン３２の制御は手動操作に限定されるものではなく、センサによる検出信号等を利用して自動制御されてもよい。具体的には、例えば、吸引ファン３２のスイッチが、紙幣処理装置２の制御部によって制御され、紙幣処理装置２の動作に合わせて自動的にオンオフ制御されてもよい。紙幣処理装置２による紙幣処理が開始されると紙幣の搬送と集積部１６への集積が行われ、これに伴って紙幣から剥がれた塵埃が飛散する。紙幣処理が完了して暫くすると紙幣の搬送や集積によって生じた空気の流れが収束するのに伴って塵埃の飛散も収束する。そのため、紙幣処理の開始と同時に吸引ファン３２の回転を開始し、紙幣処理完了後の所定時間後に吸引ファン３２が停止するように制御すればよい。
【００５１】
また、紙幣処理装置２の制御部が、処理される紙幣枚数や処理時間に応じて吸引ファン３２のスイッチをオンオフ制御してもよい。大量の紙幣が処理されて処理時間が長くなると飛散する塵埃の量が増えるが、少量の紙幣が短時間で処理されるときは塵埃の量は大きな問題とはならず、省エネルギーの観点からすれば所定枚数又は所定時間以内の紙幣処理であれば、吸引ファン３２を動作させない方が好ましい場合がある。よって、予め紙幣処理装置２側で設定を行うことによって、紙幣の処理枚数又は処理時間が所定値を超えた場合にのみ吸引ファン３２の動作を開始し、処理完了後に吸引ファン３２を停止するように制御してもよい。
【００５２】
ダクト３３は、テーブル１０の裏面側に設けられて排気通路を形成し、吸引ファン３２から流入する空気を所定位置から排気する機能を有する。スタッカ１６が開口する紙幣処理装置２の前面側には、紙幣処理を行う利用者が存在するため、排気は紙幣処理装置２の背面側から行うことが望ましい。そのため、ダクト３３は、テーブル１０の背面側に設けた排気口を除いて吸引ファン３２の周囲を覆い、吸引ファン３２から流入した空気が排気口へ導かれるように排気通路を形成する。
【００５３】
ダクト３３による排気は、紙幣処理装置２の背面側からなされるものに限定されず、紙幣処理装置２の側面側からなされてもよい。またダクト３３が、排気通路を変更できるように構成されており、紙幣処理装置２及びテーブル１０の設置状況に応じて、利用者が所望の方向へ排気できるようになっていてもよい。具体的には、例えば、吸引ファン３２の周囲を覆うダクト３３が、テーブル１０の側方や後方等の複数の場所に延びた排気通路を形成し、各排気通路の末端に開閉可能な排気口を有する構造とする。テーブル１０の設置状況や、利用者の利用状況に応じて、排気したい位置にある排気口を開放して排気するようにすれば利用者の選択した方向から排気することができる。またダクト３３による排気通路の末端がテーブル１０の側面や背面に設けられた排気口に接続される他、ダクト３３から延びた排気通路がテーブル１０の側方や背面側からさらにパイプ等を介して導かれ、紙幣処理装置２が設置された部屋の外や屋外へ導かれ、そこから排気する態様であっても構わない。
【００５４】
このように、本実施形態によれば、スタッカ１６の開口部近傍の空間とダクト３３内との空間を集塵口３０、フィルタ３１及び吸引ファン３２を介して接続し、吸引ファン３２を回転させて空気の流れを生じさせることによって、スタッカ１６の開口部近傍に設けた集塵口３０から、スタッカ１６から飛散する塵埃を吸引することができる。そのため、紙幣処理に伴って発生する塵埃が、スタッカ１６の開口部から飛散することを抑制することができる。集塵口３０は、塵埃が堆積しやすいスタッカ１６の開口前方位置に設けられているため、塵埃を効果的に集塵し、テーブル１０上への塵埃の集積を抑制することができる。
【００５５】
また、集塵した塵埃はフィルタ３１によって取り除かれるため、塵埃の影響による吸引ファン３２やダクト３３の性能低下を抑制することができる。フィルタ３１は集塵口３０内で蓋体４０によって固定されているため、塵埃を確実に分離することができる。また蓋体４０及びフィルタ３１を、テーブル１０から容易に取り外すことができるため、フィルタ３２を定期的に清掃したり交換したりすれば、フィルタ３２の目詰まりによる集塵機能の低下を抑制することができる。さらに集塵口３０から吸い込んだ空気の流れをダクト３３によって制御することによって、フィルタ３２によって分離できなかった細かな塵埃が含まれる場合でも、これを利用者から離れた紙幣処理装置２の背面側等から排気することができるため、利用者が塵埃を含む空気を吸い込むことを回避することができる。
【実施例２】
【００５６】
図４は、本発明に係る別の実施形態を示す紙幣処理装置２の構成概略を示す説明図である。なお、実施例１の紙幣処理装置２と同一の構成については同一符号を付し、構成、動作及び機能についての重複する説明は省略する。
【００５７】
図４に示す紙幣処理装置２では、テーブル１０ではなく、スタッカ１６内に集塵口３０Ａ〜３０Ｈが設けられている点が実施例１と異なっている。
【００５８】
紙幣処理装置２は、図１に示すように、紙幣処理装置２の底面積に比べて大きな面積を有しスタッカ１６の開口側前方にせり出したテーブル１０上に設置されて利用される他、紙幣処理装置２の底面積と略同一のテーブル１０上に設置される場合もある。本実施例による紙幣処理装置２は、図５（Ａ）に示すように、スタッカ１６内の、例えば底面に集塵口３０が設けられている。そのため大型のテーブル１０が設置できないような環境下でも、上記実施例１と同様に集塵口３０による塵埃の集塵機能を実現することができる。
【００５９】
各スタッカ１６内部に設けられた集塵口３０から吸引された吸入空気は、フィルタ３１及び吸引ファン３２を介して、ダクト３３へ導かれ、例えば図５（Ｂ）に示すように紙幣処理装置２の背面側に設けられた排気口３５から排気される。
【００６０】
各スタッカ１６に設けられた集塵口３０からの吸入は、図４（Ａ）に示すように単一のフィルタ３１を介して単一の吸引ファン３２によって行われてもよいし、同図（Ｂ）に示すように各集塵口３０Ｅ〜３０Ｈ毎に独立して設けられたフィルタ３１Ｅ〜３１Ｈ及び吸引ファン３２Ｅ〜３２Ｈによって行われてもよい。
【００６１】
図４（Ａ）では、フィルタ３１が、紙幣処理装置２の前面から引き出せるように構成されている。４つの集塵口３０Ａ〜３０Ｄに対してフィルタ３１が１つであるため、フィルタ３１の清掃や交換が容易であるという利点がある。４つの集塵口３０Ａ〜３０Ｄから１つの吸引ファン３２によって吸引を行うため、実施例１に比べて大型の吸引ファン３２を利用し、さらに集塵口３０Ａ〜３０Ｄから吸引ファン３２に至る吸引通路３４を円錐台形状や角錐台形状にして吸引効率を高めている。なお、単一の吸引ファン３２を利用する例を示したが、実施例１や図４（Ｂ）と同様に単一のフィルタ３１下方に複数の吸引ファン３２を設けて利用してもよい。
【００６２】
図４（Ｂ）では、同図（Ａ）と同様に各フィルタ３０Ｅ〜３０Ｈが前面から引き出し可能に設けられている。４つの集塵口３０Ｅ〜３０Ｈに対してフィルタ３１Ｅ〜３１Ｈが独立して設けられているため、フィルタ３１Ｅ〜３１Ｈを個別に清掃又は交換することができるという利点がある。例えば、１つのスタッカ１６Ａに割り当てられた金種の流通量が多く、他のスタッカ１６Ｂ〜１６Ｃに比べて大量の紙幣が搬送集積されるため、フィルタ３０Ｅのみが、他のフィルタ３０Ｆ〜３０Ｈに比べて短期間で汚れる場合がある。このような場合、汚れのひどいフィルタ３０Ｅのみを清掃したり交換したりすることができる。また集塵口３０Ｅ〜３０Ｈに近い位置に独立して吸引ファン３２Ｅ〜３２Ｈを設けることによって、塵埃を強力に吸引できるという利点がある。集塵口３０Ｅ〜３０Ｈの面積に対して吸引ファン３２の面積が小さい場合には、各吸引通路３４Ｅ〜３４Ｈを図４（Ａ）の場合と同様にすり鉢状にすれば吸引効率を高めることができる。ただし、本実施例がこれに限定されるものではなく、同図（Ａ）と同様に単一の吸引ファン３２を利用してもよい。またフィルタ３０の着脱方法についても、上記実施例１と同様に集塵口３０内の蓋体４０を取り除いた後、集塵口３０内から上方に取り外せるようになっていてもよい。
【００６３】
なお、本実施例では、紙幣処理装置２と脚部を有するテーブル１０とを別構造として説明したが、本発明がこれに限定されるものではなく、テーブル１０が脚部を有さない態様であってもよい。またテーブル１０が紙幣処理装置２と一体化され、紙幣処理装置２自体が、集塵口３０、フィルタ３１、吸引ファン３２及びダクト３３を備える態様であっても構わない。また集塵口３０がスタッカ１６の底面に設けられる態様に限定されるものではなく、スタッカ１６の側面や上面に設けられても構わない。例えばスタッカ１６が、紙幣が集積されるステージを有し、このステージが開口の無い平板であるような場合は、スタッカ１６の側面や上面に設けた方が高い集塵機能を発揮することができる。集塵口３０を設ける位置は、スタッカ１６の構造に基づいて効率よく塵埃を集塵可能な位置に決定すればよい。その他の構造や機能に関しても、スタッカ１６内の一部に集塵口３０が設けられ、吸引ファン３２による吸引力によって紙幣処理時にスタッカ１６内で飛散する塵埃を吸引し、フィルタ３２によって吸入空気から塵埃を分離し、塵埃を分離した後の空気をダクト３３によって所定位置から排気することができれば、紙幣処理装置２の形状や構造が上記実施例に限定されるものではない。
【実施例３】
【００６４】
図５（Ｂ）は、本発明に係る別の実施形態を示す紙幣処理装置２の構成概略を示す説明図である。なお、実施例１及び実施例２と同一の構成については同一符号を付し、構成、動作及び機能に関する重複する説明は省略する。また同図では、正面から見た際の構成が図２及び図４を用いて説明した内容と同様であるため、側面図の概略のみを示している。
【００６５】
図５（Ｂ）に示す紙幣処理装置２は、上記実施例１で図１及び図２を用いて説明したように紙幣処理装置２の底面から前方にせり出したテーブル１０上でスタッカ１６前方に設けられた集塵口３０Ｊを有し、さらに、上記実施例２で図４及び図５（Ａ）を用いて説明したようにスタッカ１６内部に設けられた集塵口３０Ｋとを有している点が、上記実施例１及び実施例２と異なっている。各部の構成及び動作については実施例１及び実施例２ｄ説明した内容と同様であるため、説明を省略する。
【００６６】
このように、集塵口３０、フィルタ３１、吸引ファン３２及びダクト３３の構造及び機能について、実施例１で説明したものと実施例２で説明したものとを種々組み合わせて利用することができる。
【００６７】
また、テーブル１０と紙幣処理装置２についても、独立した構造体であってもよいし、紙幣処理装置２として一体化された構造であっても構わない。具体的な一態様として、例えば、スタッカ１６の開口部の下縁から開口部前方に向けて延設されるテーブルを、紙幣処理装置２と一体化して設け、このテーブルに集塵口３０を形成してもよい。
【００６８】
図５（Ｂ）に示すように、スタッカ１６内部の開口部側に集塵口３０Ｋを設けるとともに、さらにスタッカ１６の外部で開口部前方のテーブル１０上に集塵口３０Ｊを設ければ、塵埃が飛散する発生源となるスタッカ１６内部の集塵口３０Ｋで塵埃を集塵し、スタッカ１６内部で集塵できなかった塵埃がある場合にも、これをスタッカ１６外部の集塵口３０Ｊから集塵することができる。なお、吸引ファン３２により吸引した空気をテーブル１０の側面や背面、又は部屋の外や屋外等に導いて排気する必要がない場合には、ダクト３３を設けずに、吸引ファン３２に吸引した空気をそのまま排気するようにしてもよい。フィルタ３１の性能が高く、塵埃を除去して空気を清浄化することができれば、ダクト３３を設けずに利用することもできる。
【００６９】
以上の通り、本願の紙幣処理装置及び紙幣処理装置用載置台によれば、スタッカ開口部から飛散する紙粉や塵埃をスタッカ内部又はスタッカの開口部前方に設けた集塵口から吸入し、フィルタによって取り除き、清浄化した空気を装置背面等から排気することができる。
【００７０】
塵埃の発生源であるスタッカ１６内において、開口部以外が閉じられた空間内で塵埃を集塵すれば効率良く塵埃を集塵することができる。さらに塵埃が堆積しやすいテーブル１０上の位置である開口部前方で塵埃を集塵すれば効率よく塵埃を集塵しテーブル１０上への集塵を堆積を回避することができる。
【産業上の利用可能性】
【００７１】
本願の開示する紙幣処理装置及び紙幣処理装置用載置台は、開口された集積部から飛散する紙粉や塵埃を効率良く集塵する場合に適している。
【符号の説明】
【００７２】
１        紙幣分類結束処理装置
２        紙幣処理装置
１０      テーブル
１６      スタッカ
３０      集塵口
３１      フィルタ
３２      吸引ファン
３３      ダクト
【図１】
2012133412.tif 000003
【図２】
2012133412.tif 000004
【図３】
2012133412.tif 000005
【図４】
2012133412.tif 000006
【図５】
2012133412.tif 000007